(57)【要約】      （修正有）【課題】１本の歯ブラシで、通常の磨き方で正常歯列だけでなく不正歯列の人にも、あるいは矯正治療中で装置を装着している人でも、歯肉が炎症を起こし腫れている人でも口腔内の歯面、歯間部、歯頸部、咬合面、歯周ポケット内の清掃を痛がらずに効率的に行うための歯ブラシを提供する。【解決手段】歯ブラシ植毛部（１列から６列、５行から１２行）を側面から見て、ほぼ中央部分にフラットな山頂部分（１〜７ｍｍ）を作り山頂部分の左右サイド端から１０〜２０度の範囲で植毛部両サイドが低くなるように傾斜した歯ブラシで、両サイドの斜め部分にはより歯面に接触し易いように直線状凹みやカーブ状凹みを１ヶ所つくり植毛部全体を富士山のような形にする。人用歯ブラシだけでなく動物用歯ブラシとしても、義歯用歯ブラシとしても、電動歯ブラシの替えブラシの植毛部としても使用できる。【選択図】図１
0003143239.tif 000002
【実用新案登録請求の範囲】
【請求項１】
人用歯ブラシ又は動物用歯ブラシ又は義歯用歯ブラシ又は電動歯ブラシの植毛部（１列から６列、５行から１２行）の歯ブラシ先端から見た場合は直線カット（刷毛の長さは６〜１２ｍｍ）で、歯ブラシ側面から見て中央部分にヘッド部の植毛面と平行な平面（山頂部分６）を１〜７ｍｍ有しその左右端と植毛部両サイド端と結ぶ斜面（図３の１２）がその両サイドに１０〜２０度（図１、図２、図３の８）の範囲で両サイド端高さ１１が低くなるように傾斜した歯ブラシ（植毛部）。
【請求項２】
請求項１の両サイドの斜面部分にカーブ状凹み（図１の９）を両サイド端の高さ１１より低くならないように１ヶ所つくった歯ブラシ（植毛部）。
【請求項３】
請求項１の両サイドの斜面部分に直線状凹み（図２の１０）を両サイド端の高さ１１より低くならないように１ヶ所つくった歯ブラシ（植毛部）。
【考案の詳細な説明】
【技術分野】
【０００１】本発明は、口腔内の歯面、歯間部、歯頸部、咬合面、歯周ポケット内の清掃を行うための口腔内衛生用具に関する。
【背景技術】
【０００２】従来、この種の口腔内衛生用具としては次のようなものが知られている。
歯ブラシは通常、用毛と歯ブラシ用ハンドルと用毛をハンドルに植える金属線（平線）とで構成されている。最近平線の無い、ハンドルと用毛が一体に成型された歯ブラシも販売されている。平線がないので植毛部分を薄く出来るようになったが成型機兼植毛機は高額でまたその金型が複雑で平線を使う金型に比べて数倍と高く、歯ブラシ原価が高くなり結果として販売価格が高くなっている。また平線の無い歯ブラシの植毛強度は平線を有する歯ブラシに比べて弱い。歯ブラシは全歯面から、歯垢除去を効率的に行うことが求められている。そのためには用毛の品質、ハンドル形状と品質、歯ブラシの植毛の仕方と植毛部のカットのそれぞれが歯垢除去を目的に開発されなければならない。特に一番重要と思われるのは、歯面と接触する歯ブラシの植毛部のカット形状が歯垢除去に大きく影響を与える。歯ブラシを先端から見た場合、歯ブラシ事典（学建書院）によると、直線型、ドーム型、谷型カットなどに大別される。また歯ブラシ側面から見た場合には、直線型カット、凸彎型カット、凹彎型カット、タフト型カットが一般的である。これらのタイプの場合、通常短い時間（２分以内が多い）で歯磨きをする場合を想定し、歯磨き効率を考えて、臼歯の２歯分位の長さを有している。一般的に行われている磨き方のスクラブ法や横磨き法では、直線型カットの場合、凸曲面を有し、かつ表面（裏側、表側）が凹んでいる大きい臼歯や曲面がきつい小さい前歯や５〜１３ｍｍごとにある複数の歯間部（舌側面、頬側面）や凹曲線上に並んでいる舌側面と大きい歯ブラシの毛先との接触が悪くなり歯面清掃力が劣る。【０００３】歯間部の清掃効果を高めるために１毛束または複数毛束の毛先を山型または円錐型にカットして歯間部に毛先を届きやすくしたタフト型の歯ブラシがあるが、歯間部の清掃には良いが、一般的に行われている磨き方のスクラブ法や横磨き法では、大きい曲面を有している大きい臼歯や曲面がきつい小さい前歯の歯面と山型の先端が点や線で接触するため歯面の清掃効果力が劣る。また歯肉に山型の尖った部分があたり痛い場合が多く、磨き方に工夫が必要となり、歯肉マッサージ効果が劣る。【０００４】歯間部、歯周ポケット内の清掃効果を高めるために１本１本の毛先を超極細に加工してから束ねて平線で植毛した歯ブラシが販売されている。普通の歯磨圧でブラッシングしても歯間部、歯周ポケットの深部への到達性に優れているものの、毛先がとがっており歯肉に刺さり痛い場合が多い。また毛腰が弱く、歯肉マッサージ効果や歯面の清掃効果が劣る場合がある。【０００５】奥歯に届きやすいように植毛部先端部が低くなるように傾斜をつけた歯ブラシもあるが、植毛部のヒール部分が高くなっており前歯の舌側面の歯を清掃しにくい。【０００６】舌側の歯面を清掃しやすくするために凸彎型カットにした歯ブラシは逆に頬側の歯面が磨きにくくなる。頬側の歯面を清掃しやすくするために凹彎型カットにした歯ブラシは舌側面が清掃しにくい。バス法などで直線型カットや凹彎型カットの歯ブラシを先端から見て４５度に斜めにして植毛部の中央部の両外側部分（歯ブラシ先端から見て図４の左Ａと右Ｂの２ヶ所）の毛先を歯周ポケット内に入れたり、歯頸部周辺を清掃しようとすると、歯肉に炎症がある場合はもちろん普通の歯肉でも、歯面の両脇の外側に膨らんでいる歯肉（歯間乳頭部）に植毛部両サイドの毛の先端が先に当たり、植毛部中央部の毛先端と歯面が離れ歯ブラシが浮き、植毛部の両外側部分左Ａ又は右Ｂの毛先端が歯周ポケット内に深く入りにくくなったり、歯頸部周辺の清掃がしにくくなり磨き方の工夫が必要になる。【０００７】矯正治療中の歯ブラシとして、３列や４列植毛の直線型歯ブラシを歯ブラシの先端から見て谷型にカットした歯ブラシを使用し、接着している矯正装置を避けて歯面の歯垢を除去するように工夫した歯ブラシがあるが歯面との接触が線状になり歯面清掃性にかけ、ワンタフト歯ブラシなどの補助清掃具を必要になる。【０００８】従来の歯ブラシは正常歯列を有している人を想定して開発し販売しているが、逆に正常歯列の人は少なく、歯並びが凸凹している人が多い。  凹んだ歯を有する人の口腔清掃や周辺歯肉のマッサージ用として直線型カット、凸彎型カット、凹彎型カットの一般的な歯ブラシでは、適したものが無く、一般的な歯ブラシと特殊なワンタフト型の歯ブラシを共用しなければ清掃が難しく面倒である。【０００９】歯ブラシ植毛部は歯ブラシ先端から見て一般的に１列から６列が多く、幅としては１．５ｍｍから１３ｍｍ位になる。歯ブラシ側面から見た行数としては１行（ワンタフトタイプの歯ブラシ）から１２行が多く、長さとしては３ｍｍから３５ｍｍになる。歯ブラシの毛束を構成する１本の刷毛の長さ（歯ブラシ植毛面より外側に出ている分）は子供用、大人用を含めて６−１４ｍｍ，刷毛の１本の太さは３ミル（０．０７６ｍｍ）から１４ミル（０．３５６ｍｍ）と範囲が広い。同じ太さの毛を使用し同じ刷毛の長さにしても、植毛部全体の大きさや毛の植毛密度によって毛の硬さや弾力性が異なり、加齢により変化する口腔症状に合う歯ブラシをパッケージに表示されている毛の硬さや毛の材質やカット形状を見て、歯ブラシを選ぶのは難しく面倒である。【００１０】用毛の素材は一般的に使用されているのは、ポリアミド、ポリブチレンテレフタレート、天然毛が多い。また上記素材に加えてシリコーンや研磨剤を含んだゴムなどを使用する例も増えている。
【考案の開示】
【考案が解決しようとする課題】
【００１１】上述したように従来この種の口腔内清掃用具としては種々のものが知られ、販売されているが、いずれも１長１短があり１本の歯ブラシでは清掃が難しく口腔衛生補助具を複数使用しなければならず、改良の余地があった。本考案は、このような事情に鑑みてなされたもので、通常の磨き方で正常歯列だけでなく不正歯列の人にも、あるいは矯正治療中で装置を装着している人でも、歯肉が腫れている人でも口腔内の歯面、歯間部、歯頸部、咬合面、歯周ポケット内の清掃を痛がらずに１本の歯ブラシで安価でより効率的に行うための口腔内衛生用具を提供することを目的とする。
【課題を解決するための手段】
【００１２】上記目的を達成するため、本発明の口腔内清掃用具は通常の直線型歯ブラシ植毛部（１列から６列、５行から１２行）を側面から見て、ほぼ中央部分にヘッド部の植毛面と平行な平面（山頂部分）を歯垢除去目的に応じて１〜７ｍｍ作り、山頂部分の左右サイド端から１０〜２０度の範囲で植毛部両サイドが低くなるように傾斜した歯ブラシで、両サイドの斜め部分を直線状（図３）または歯面に接触し易いようにカーブ状凹み（図１）や直線状凹み（図１）を１ヶ所つくり植毛部全体を富士山のような形にすることによって、正常歯列の歯面特に奥歯（舌側、頬側）や前歯（舌側、頬側）や歯間部や歯頸部や歯周ポケット内や咬合面や不正歯列の人の歯面や矯正装置を装着した人の歯垢除去を痛がらずに１本の歯ブラシでより効率的に実施し易くした部分が実用新案登録を受けようとする部分である。
【考案の効果】
【００１３】このことにより、正常な歯列を有する人だけでなく、不正歯列の人の凹んだ歯を有する人でも、高齢者で歯が複数本抜けたままになっている人でも、歯肉が腫れている人でも、植毛部両サイドが傾斜しているので膨らんだ歯肉に邪魔されずに山頂部分６の毛先を歯面に接触させることが出来、歯頸部や歯周ポケット内や歯間部に歯ブラシの山頂部分６を当てやすくなり、一般的に行われている磨き方のスクラブ法や横磨き法で、効果的に１本の歯ブラシで歯垢を効率的に除去することが出来、ウ蝕予防、歯周病予防に効果的である。特に前歯の舌側（上顎、下顎）は１本１本の歯面は凹んでおり一般的な直線型カットの歯ブラシでは届きにくく、一本ずつ歯ブラシを垂直にして磨く方法で、前歯舌側の歯面には傾斜面後面７を当てやすくなり、山頂部分６を使用することにより山頂部分６の毛先が凹んだ部分に届き清掃しやすくなり、歯垢除去や着色予防に効果的である。奥歯の咬合面の清掃においても歯ブラシ山頂部分６を使用することにより深い溝に毛先が届き清掃しやすくなった。奥歯の歯面（舌側、頬側）には植毛部傾斜面前面５を当てやすく、かつ刷毛の高さが段々短くなるため奥まで挿入しやすくさらに毛腰が増し歯垢除去力が増した。人用歯ブラシだけでなく動物用歯ブラシとしても、義歯用歯ブラシとしても、電動歯ブラシの替えブラシの植毛部としても安価に使用できる。【００１４】また、矯正治療中の狭い装置の下に、歯ブラシを斜めにする磨き方で、狭い歯ブラシ山頂部分６（長さ１〜４ｍｍが適している）が挿入しやすくなり従来の歯ブラシでは磨きにくかった矯正治療装置接着部分の周辺歯垢や歯頸部の歯垢を除去しやすくなり２次ウ蝕や歯周病を防ぐことができる。【００１５】また、歯列不正者の口腔清掃においても歯ブラシ山頂部分６（長さ１〜４ｍｍが適している）を凹んだ歯面に届けやすくなり従来の歯ブラシでは届きにくく磨きにくかった部分の歯垢を除去できる。凹んだ歯の歯頸部や歯周ポケット内に一般的な直線型カットの歯ブラシより届きやすく、清掃効果や歯肉マッサージ効果が高い。
【考案を実施するための最良の形態】
【００１６】本考案の実施の１形態を  図面を参照にして説明する。歯ブラシハンドルの長さや太さや形状や材質は特に規定しないが、長さは短い（１３センチ）よりは長いほう（１７センチ以上２５センチ未満）が良く、握り部分の先端から植毛部先端の長さ（ネック部）も６センチ以上が好ましい。グリップの太さは握りやすく滑らず太すぎないほうが奥歯に届きやすい。またハンドル形状も頬側面と舌側面の清掃を考えるとストレートハンドルが舌側も頬側も最後臼歯の遠心面も清掃しやすい。歯ブラシの植毛部の構成として、用毛の太さは正常な歯列や歯肉を有する人には７ミルの用毛を毛穴に平線で植毛し、植毛面からの長さを１０ｍｍとし、３列１０行（植毛部寸法としては幅６．５ｍｍ位、横２１ｍｍ位）とする。山頂部分の長さを４ｍｍとし山頂部左右サイド端から１５度で植毛部両サイドが低くなるように傾斜し、両サイドの斜め部分にはより歯面に接触し易いようにカーブ状凹みを１ヶ所つくり植毛部全体を富士山のような形にすることによって、正常歯列の口腔内の歯面や奥歯や歯頸部や咬合面や歯周ポケット内や歯間部や前歯（舌側、頬側）や不正歯列の人や矯正装置を装着した人の歯面に接地し、歯垢除去を痛がらずにより効率的に行うことが出来る。
【実施例１】
【００１７】高齢者や障害者のように腕や顔や頭を大きく動かせず筋肉機能が低下した人の口腔を他人が磨いてあげたりする場合、歯肉に炎症を起こしている場合が多く、その炎症具合に応じて通常の毛より柔らかい毛（５ミルの太さ）を使用し、植毛面からの長さを１０ｍｍとし、３列１０行（植毛部寸法としては幅６．５ｍｍ位、横２１ｍｍ位）とする。山頂部分の長さを４ｍｍとし山頂部左右サイド端から１５度で植毛部両サイドが低くなるように傾斜し、両サイドの斜め部分にはより歯面に接触し易いようにカーブ状凹みを１ヶ所つくり植毛部全体を富士山のような形にすることによって、奥歯や歯頸部や咬合面や歯周ポケット内や歯間部や前歯（舌側、頬側）の歯面や歯間部に歯ブラシを安全に当てやすくなり効果的に痛がらずに、短時間で１本の歯ブラシで歯垢を効率的に除去することが出来、ウ蝕予防、歯周病予防に介護口腔ケアに効果的である。
【実施例２】
【００１８】最良の形態の歯ブラシで歯科衛生士２５名に口内法で試用テストを実施したところ、２０名の方が裏側がよく磨けて良い、５名がふつうと評価した。
【産業上の利用可能性】
【００１９】現在、直線型カット、凸彎型カット、凹彎型カット、タフト型カットがスーパーや薬局や歯科医院で販売されている。しかしウ蝕や歯周病で歯を失う人が多くその治療費も多額で社会問題化しさらに増える可能性が高い。本考案の富士山型カットの歯ブラシで、正常な歯列を有する人だけでなく、不正歯列の人の凹んだ歯を有する人でも、高齢者で歯が複数本抜けたままの人でも、口腔介護を必要とする人でも、矯正治療中の人でも、植毛部両サイドが傾斜しているので歯肉に邪魔されずに山頂部分６の毛先を歯面に届け易くなるだけでなく、歯頸部や歯周ポケット内や歯間部に歯ブラシの山頂部分６を当てやすくなり、一般的に行われている磨き方で、効果的に１本の歯ブラシで歯垢を効率的に除去することが出来、ウ蝕予防、歯周病予防に効果的であり治療費削減にも寄与できる。
【図面の簡単な説明】
【００２０】
【図１】図１は本考案第１の実施（カーブ状凹みを有する）の歯ブラシ略示側面図（植毛部）である。
【図２】図２は本考案第２の実施（直線状凹みを有する）の歯ブラシ略示側面図（植毛部）である。
【図３】図３は本考案第３の実施（直線状傾斜を有する）の歯ブラシ略示側面図（植毛部）である。
【図４】図４は歯ブラシ略示正面図である。
【符号の説明】
【００２１】１  ヘッド部
２  首部
３  毛束
４  植毛面
５  植毛部傾斜面前面
６  ヘッド部の植毛面と平行な平面（山頂部分）
７  植毛部傾斜面後面
８  傾斜角度
９  カーブ状凹み
１０  直線状凹み
１１  両サイド端長さ
１２  直線状傾斜
Ａ  植毛部外側部分左
Ｂ  植毛部外側部分右
【図１】
0003143239.tif 000003
【図２】
0003143239.tif 000004
【図３】
0003143239.tif 000005
【図４】
0003143239.tif 000006
【手続補正書】
【提出日】平成20年5月1日(2008.5.1)
【手続補正１】
【補正対象書類名】実用新案登録請求の範囲
【補正対象項目名】全文
【補正方法】変更
【補正の内容】
【実用新案登録請求の範囲】
【請求項１】
柄の先端に設けた縦長の平面状をしたヘッド部の表面に、複数本の刷毛を束ねた複数の毛束を、刷毛が前記表面に対して垂直となるように所定の間隔で整列して、植接してなるブラシ部を備えた歯ブラシにおいて、  歯ブラシの先端部から見て、前記刷毛の先端部がヘッド部の植毛面と水平にカットされ、  歯ブラシの側方から見て、前記ブラシ部が先端側から、ブラシ前方傾斜部と、ブラシ中央部と、ブラシ後方傾斜部とから構成され、  前記ブラシ中央部の刷毛の長さが一番長く、その先端がヘッド部の植毛面に水平にカットされ、  前記ブラシ前方傾斜部と前記ブラシ後方傾斜部の刷毛の長さは、前記ブラシ中央部側からブラシ部両端の刷毛に向かい徐々に短くなるよう傾斜してカットされていることを特徴とする歯ブラシ。
【請求項２】
前記ブラシ前方傾斜部と前記ブラシ後方傾斜部の形状は、その傾斜が直線状であることを特徴とする請求項１に記載の歯ブラシ。
【請求項３】
前記ブラシ前方傾斜部と前記ブラシ後方傾斜部の形状は、その傾斜が曲線状又は折線上に凹んでおり、その凹みの一番深いところの刷毛の長さが、植毛両端部の刷毛の長さ以上であることを特徴とする請求項１に記載の歯ブラシ。
【手続補正２】
【補正対象書類名】明細書
【補正対象項目名】全文
【補正方法】変更
【補正の内容】
【考案の詳細な説明】
【技術分野】
【０００１】  本考案は、歯ブラシに関するものであって、特に、ブラシ部の形状に特徴を有する歯ブラシに関するものである。
【背景技術】
【０００２】  歯ブラシは、歯に付着した歯垢や歯間の食物残渣等を除去し、歯肉のマッサージを行なうために、従来より広く使用されている。通常、歯ブラシは、刷毛を移植したブラシ部と、このブラシ部を備えた歯ブラシ用の柄と、刷毛をハンドルに植える金属線である平線とで構成されている。【０００３】  前記刷毛の素材の中で、一般的に使用されることが多いのは、ポリアミド、ポリブチレンテレフタレート、天然毛である。また、前記素材に加えて、シリコーンや研磨剤を含んだゴムなどを使用する例も増えている。【０００４】  さらに、歯垢を効率的に除去することを目的として、刷毛の品質、柄の形状と品質、刷毛をブラシ部に植毛する方法及びブラシ部のカットの形状に特徴がある歯ブラシがある。特に、歯面と接触する歯ブラシのブラシ部の形状は、歯垢除去に大きな影響を与える。【０００５】  一般的に知られている歯ブラシには、ブラシ部を構成する個々の毛束の先端をテーパ状に形成することにより、歯間部や歯と歯茎との境目等に十分に毛先が届くようにしたものがある。しかし、単に毛束の先端をテーパ状にしただけでは、歯ブラシのブラシ部が、上下の前歯の内側、奥歯（臼歯）を磨きにくいという問題を有していた。【０００６】  この点を改善するために、特許文献１においては、ブラシ部の全体の形状を歯ブラシの側方から見て凸型にして、上下の前歯の内側、奥歯等についても磨きやすいようにしたことを特徴とする歯ブラシが提案されている。【特許文献１】特開２００７−０６８６８５公報
【考案の開示】
【考案が解決しようとする課題】
【０００７】  前記特許文献１に記載された歯ブラシは、凸型をしたブラシ部の形状が、前歯の内側や奥歯の形とは一致するので、磨きやすい。しかし、前歯の頬側である外側が歯面を磨きにくくなる欠点があった。【０００８】  また、従来の歯ブラシは、一般に、正常歯列を有している人を想定して開発されているが、逆に正常歯列の人は少なく、歯並びが凸凹している人が多い。凹んだ歯を有する人の口腔清掃や周辺歯肉のマッサージ用としては、特許文献１のような凸型をしたブラシだけでは十分でなく、直線カットや凸型カットや凹型カットなどの歯ブラシと、特殊なワンタフト型の歯ブラシを共用しなければ、清掃が難しく面倒であった。【０００９】  本考案は、前記の様な従来技術の問題点を解決するために提案されたものであって、その目的は、通常の磨き方で正常歯列の人だけでなく不正常歯列の人でも、あるいは矯正治療中で装置を装着している人でも、歯肉が腫れている人でも、口腔内の歯面、歯間部、歯頸部、咬合面、歯周ポケット内などの清掃を、痛みを伴うことなく、１本の歯ブラシで効率的に行うことができる歯ブラシを提供することにある。
【課題を解決するための手段】
【００１０】  上記の目的をふまえ、請求項１の考案は、柄の先端に設けた縦長の平面状をしたヘッド部の表面に、複数本の刷毛を束ねた複数の毛束を、刷毛が前記表面に対して垂直になるように所定の間隔で整列して、植接してなるブラシ部を備えた歯ブラシにおいて、歯ブラシの先端部から見て、前記刷毛の先端部がヘッド部の植毛面と水平にカットされ、歯ブラシの側方から見て、前記ブラシ部が先端側から、ブラシ前方傾斜部と、ブラシ中央部と、ブラシ後方傾斜部とから構成され、前記ブラシ中央部の刷毛の長さが一番長く、その先端がヘッド部の植毛面に水平にカットされ、前記ブラシ前方傾斜部と前記ブラシ後方傾斜部の刷毛の長さは、前記ブラシ中央部側からブラシ部両端の刷毛に向かい徐々に短くなるよう傾斜してカットされていることを特徴とする。【００１１】  請求項２の考案は、前記ブラシ前方傾斜部と前記ブラシ後方傾斜部の形状は、その傾斜が直線状であることを特徴とする。【００１２】  請求項３の考案は、前記ブラシ前方傾斜部と前記ブラシ後方傾斜部の形状は、その傾斜が曲線状又は折線上に凹んでおり、その凹みの一番深いところの刷毛の長さが、植毛両端部の刷毛の長さ以上であることを特徴とする。【００１３】  以上のような、本考案によれば、歯ブラシの側面からみてブラシ部の中央に形成された水平な部分により歯垢除去を行い、ブラシ中央部の両サイドに形成された傾斜部分が、頬側の奥歯に届きやすくなり、また、前歯前面部裏側を簡単に磨くことが可能となる。
【考案の効果】
【００１４】  本考案の歯ブラシによれば、通常の磨き方で正常歯列の人だけでなく、不正常歯列の人でも、あるいは矯正治療中で装置を装着している人でも、歯肉が腫れている人でも、口腔内の歯面、歯間部、歯頸部、咬合面、歯周ポケット内の清掃を痛みを伴わずに、１本の歯ブラシで磨くことができる。
【考案を実施するための最良の形態】
【００１５】  次に、本考案を実施するための最良の形態について、図を参照して説明する。なお、すでに説明した従来技術と共通の前提事項は再言しない。【００１６】（１）第１実施形態（１−１）構成  本実施形態の歯ブラシを図１に示す。本実施形態の歯ブラシは、図示していない柄の部分に、持ち手部と、ネック部２と、ヘッド部１を備える。このヘッド部１は、柄の先端に設けた縦長の平面状をしている。このヘッド部１にはブラシ部が設けられている。このヘッド部は、ヘッド部１の植毛面４に、複数本の刷毛を束ねた複数の毛束３を、刷毛が前記植毛面４に対して垂直になるように所定の間隔で整列して植接したものである。【００１７】  前記ブラシ部では、ブラシの先端部から見て、前記刷毛の先端部がヘッド部１の植毛面４と水平にカットされている。また、前記ブラシ部は、歯ブラシの側方から見て、先端側から、ブラシ前方傾斜部５と、ブラシ中央部６と、ブラシ後方傾斜部７とから構成されている。【００１８】  前記ブラシ中央部６の刷毛は、ブラシ部の刷毛の中で長さが一番長く、その先端がヘッド部１の植毛面に水平にカットされている。前記ブラシ前方傾斜部５と前記ブラシ後方傾斜部７の刷毛は、前記ブラシ中央部６側からブラシ部両端９の刷毛に向かい徐々に短くなるように、所定の傾斜角度８で傾斜してカットされている。【００１９】  歯ブラシの柄の長さや太さや形状や材質は特に規定しないが、前記ブラシの持ち手部分の長さは１３センチよりは長く２５センチ未満である方が好ましい。また、ネック部２の長さも、６センチ以上が好ましい。【００２０】  また、歯ブラシの持ち手部分の形状は、ストレートハンドルで、握りやすく太すぎない方が、舌側面も頬側面も最後臼歯の遠心面も掃除しやすい。【００２１】  前記毛束３は、正常な歯列や歯肉を有する人用には、用毛の太さ７ミルの刷毛を、毛穴に平線で植毛する。また、高齢者や障害を持つ人のように、腕や顔や頭を大きく動かせず、筋肉機能が低下した人の口腔を他人が磨く用には、刷毛の太さは、通常の刷毛よりやわらかい５ミルの太さのものを使用する。【００２２】  代表的なものとして、前記ブラシ部は、刷毛の植毛面からの長さを１０ｍｍとし、毛束３の配列は３列１０行とし、ブラシ中央部６の刷毛の長さを４ｍｍとし、ブラシ中央部の左右両サイド端から１５度でブラシ部両サイドが低くなるように傾斜させる。一方、前記の例だけにとらわれるのではなく、前記ブラシ部は、刷毛の植毛面からの長さを６ｍｍ〜１２ｍｍの間及び、毛束３の配列を１列から６列、５行から１２行の間及び、傾斜角度８を１０〜２０度の間で任意に組み合わせることもできる。【００２３】（１−２）作用・効果【００２４】  本実施形態の歯ブラシを使用することによって、正常な歯列を有する人だけでなく、不正歯列の人などの凹んだ歯を有する人でも、歯が複数本抜けたままになっている人でも、歯肉が腫れている人でも、ブラシ部両サイドが傾斜しているので、膨らんだ歯肉に邪魔されずブラシ中央部分６の毛先を歯面に当てやすくなる。【００２５】  前記ブラシ中央部６を使用すると、歯頸部や歯周ポケット内や歯間部にブラシ面を当てやすくなり、一般的に行われている磨き方であるスクラブ法や横磨き法で���効果的に１本の歯ブラシで歯垢を除去することができ、歯周病予防に効果がある。【００２６】  また、前歯の舌側の歯面は１本１本凹んでおり、一般的な直線型カットの歯ブラシでは、歯ブラシを垂直にしても届きにくい。しかし、本実施形態の歯ブラシでは、ブラシを垂直にして磨く方法で、前歯の舌側の歯面には、傾斜後方部７を当てやすくなり、ブラシ中央部６を使用することによって、ブラシ中央部６の毛先が凹んだ部分に届き清掃しやすくなる。【００２７】  一方、奥歯の咬合面の清掃においては、ブラシ中央部６を使用することにより、深い溝に毛先が届き清掃しやすくなる。奥歯の頬側や舌側の歯面には、ブラシ傾斜前方部５を当てやすく、かつ刷毛の高さが段々短くなるためブラシ部を奥まで挿入しやすくなる。【００２８】  以上のことによって、正常歯列の口腔内の歯面や奥歯や歯頸部や咬合面や歯周ポケット内や歯間部や前歯や不正歯列の人や矯正装置を装着した人の歯面に接触し、ウ蝕予防や歯垢除去を痛がらずに効率的に行うことができる。【００２９】  具体的には、本考案の歯ブラシに対して、歯科衛生士２５名に口内法で試用テストを実施したところ、２０名が歯面の裏側がよく磨けてよい、５名がふつうという評価を得ることができた。（２）第２実施形態（２−１）構成【００３０】  本考案の第２実施形態を図２の構成図に示す。第２実施形態は、第１実施形態とはブラシ前方傾斜部５とブラシ後方傾斜部７の形状が異なる。【００３１】  この第２実施形態では、ブラシ前方傾斜部５とブラシ後方傾斜部７は、前記ブラシ中央部６の左右サイドからブラシ部の両サイドが低くなるように傾斜されている。両サイドの斜面部分には、曲線状の凹みが一箇所設けられている。この凹みは、ブラシ中央部６の左右サイド端から傾斜角度８でブラシ部の両サイドが低くなるように傾斜させた線に対して凹んでいて、凹みの一番低い部分を構成する刷毛の長さが、ブラシ部両端にある刷毛９の長さ以上となっている。【００３２】（２−２）作用・効果  この第２実施形態では、両サイドの斜め部分により歯面に接触しやすいようにカーブ状の凹みを１箇所つくることによって、凹みを作らないときと比べて、奥歯や、歯頸部や、咬合面や、歯周ポケット内や、歯間部や、舌側と頬側の前歯の歯面にブラシ傾斜部をさらに安全に当てやすくなる。（３）第３実施形態（３−１）構成【００３３】  本考案の第３実施形態を図３の構成図に示す。第３実施形態は、第１実施形態とはブラシ前方傾斜部５とブラシ後方傾斜部７の形状が異なる。【００３４】  第３実施形態では、ブラシ前方傾斜部５とブラシ後方傾斜部７は、前記ブラシ中央部６の左右サイドからブラシ部の両サイドが低くなるように傾斜されている。両サイドの斜面部分には、複数本の直線を折れ線状につないだ形の凹みが一箇所設けられている。この凹みは、ブラシ中央部左右サイド端から傾斜角度８の角度でブラシ部の両サイドが低くなるように傾斜させた線に対して凹んでいる。【００３５】  すなわち、前記折れ線状の凹みは、ブラシの傾斜部にある１つ１つの毛束３の先端の形状が、ブラシ部１の側面から見た場合に、直線状になるようにカットされた毛束３の集まりで構成されている。そして、その先端部が直線状である毛��３が集まることによって、折れ線状の凹みを構成している。また、凹みの一番低い部分を構成する刷毛の長さが、ブラシ部両端にある刷毛９の長さ以上とする。（３−２）作用・効果  第３実施形態では、両サイドの斜め部分により歯面に接触しやすいように折れ線状の凹みを１箇所つくることによって、凹みを作らないときと比べて、奥歯や、歯頸部や、咬合面や、歯周ポケット内や、歯間部や、舌側と頬側の前歯の歯面にブラシ傾斜部をさらに安全に当てやすくなる。（４）その他の実施形態  他の実施形態では、本考案の歯ブラシは、動物用歯ブラシ又は、義歯用歯ブラシ又は、電動歯ブラシのブラシとして使用可能である。
【図面の簡単な説明】
【００３６】
【図１】本考案の第１実施形態を示す構成図。
【図２】本考案の第２実施形態を示す構成図。
【図３】本考案の第３実施形態を示す構成図。
【図４】図１を歯ブラシの先端方向から見た図。
【符号の説明】
【００３７】１…ヘッド部２…ネック部３…毛束４…植毛面５…ブラシ前方傾斜部６…ブラシ中央部（ヘッド部の植毛面と平行な平面）７…ブラシ後方傾斜部８…傾斜角度９…ブラシ部の両サイドの刷毛の長さ
【手続補正３】
【補正対象書類名】図面
【補正対象項目名】全図
【補正方法】変更
【補正の内容】
【図１】
0003143239.tif 000007
【図２】
0003143239.tif 000008
【図３】
0003143239.tif 000009
【図４】
0003143239.tif 000010